(57)【要約】【課題】見た目にも着脱の際にも失禁パンツであることが他人に気づかれず、トランクスの開放感を得ることができるとともに、運動時などにおいてもフィット感を確実に保つことができる男性用失禁パンツを提供すること。【解決手段】トランクス型のパンツ本体２と、このパンツ本体２の内部に股間と接触可能に吊り下げ状態で前後に架設されて失禁した尿を吸収する尿吸収パッド３とを備え、該尿吸収パッド３に、男性器を包み込むように保持可能なカップ形状部１５を形成するものとする。【選択図】図２
0003189602.tif 000002
【実用新案登録請求の範囲】
【請求項１】
トランクス型のパンツ本体と、このパンツ本体の内部に股間と接触可能に吊り下げ状態で前後に架設されて失禁した尿を吸収する尿吸収パッドとを備え、該尿吸収パッドに、男性器を包み込むように保持可能なカップ形状部を形成したことを特徴とする男性用失禁パンツ。
【請求項２】
尿吸収パッドの前端側及び／又は後端側を、パンツ本体の前部内側及び／又は後部内側に宛がわれるメッシュ生地からなる布片を介してパンツ本体の前部及び／又は後部に縫着することを特徴とする請求項１記載の男性用失禁パンツ。
【考案の詳細な説明】
【技術分野】
【０００１】
本考案は、軽微の尿漏れで悩む男性用の失禁パンツに関し、特に、見た目には普通のトランクスタイプの下着として使用できるようにした男性用失禁パンツに関するものである。
【背景技術】
【０００２】
失禁パンツは、例えば、重い物を持ったり、笑ったり、くしゃみをしたりした瞬間に失禁してしまったり、小用をする直前又は小用をした後に少量漏らしてしまったりする場合のために着用するものである。
【０００３】
従来、男性用失禁パンツとして、例えば、幼児用おむつのような使い捨てタイプのものが多数存在するが、失禁を患う男性にとって通常の下着と同じ感覚でデザイン性に優れたパンツを着用したいという要求がある。
【０００４】
このような要求に応え得るものとして、例えば、特許文献１にて提案されている男性用失禁パンツがある。
【先行技術文献】
【特許文献】
【０００５】
【特許文献１】実用新案登録第３１６１４２１号公報
【０００６】
この特許文献１に係る男性用失禁パンツは、導水層、吸水層、消臭層及び防水層を有する重層構造で下部に尿貯留用凹部が形成されてなるパッドを備えている。
パッドは、パンツ本体の内側に配され、該パッドの上下両端部が、それぞれ伸縮性生地を介してパンツ本体の身生地に縫着されている。
この男性用失禁パンツによれば、尿吸収用のパッドがパンツ本体の内側に配されるので、外見は普通のパンツと同じで他人に気づかれる心配がなく、しかもパッドが伸縮性生地を介してパンツ本体に縫着される構造とされるので、パッドが男性器にフットして、運動も外出も気楽にすることができる。
【０００７】
ところで、上記特許文献１に係る男性用失禁パンツにおいて、パッドに形成された尿貯留用凹部は、失禁した尿を外部に漏らさずに確実に吸収するために設けられるもので、パッドそれ自体は男性器を包み込むように保持する構造にはなっておらず、パッドは全体として平面的な形状を呈するものとされている。
【０００８】
このため、運動時などにおいて、男性器をパッドで保持しきれずに、男性器の位置が不安定になるなど、フィット感が損なわれるという問題があった。
なお、ブリーフ型のパンツ本体に上記のパッドを採用した場合には、ブリーフ型のパンツ本体それ自体が有するフィット性能により、フィット感が損なわれるのを軽減することが期待できるが、開放感を優先したトランクス型のパンツ本体に上記のパッドを採用した場合には、上記の問題が顕著に現れるものと考えられる。
また、男性器に対するパッドの保持力を増すために、男性器にパッドが強く密着するような構造の採用も考えられるが、この場合、男性器をパッドで圧迫することになり、長時間の使用が苦痛になる。
【考案の概要】
【考案が解決しようとする課題】
【０００９】
本考案は、上記従来の男性用失禁パンツの有する問題点に鑑み、見た目にも着脱の際にも失禁パンツであることが他人に気づかれず、トランクスの開放感を得ることができるとともに、運動時などにおいてもフィット感を確実に保つことができる男性用失禁パンツを提供することを目的とする。
【課題を解決するための手段】
【００１０】
上記目的を達成するため、本考案の男性用失禁パンツは、トランクス型のパンツ本体と、このパンツ本体の内部に股間と接触可能に吊り下げ状態で前後に架設されて失禁した尿を吸収する尿吸収パッドとを備え、該尿吸収パッドに、男性器を包み込むように保持可能なカップ形状部を形成したことを特徴とする。
【００１１】
この場合において、尿吸収パッドの前端側及び／又は後端側を、パンツ本体の前部内側及び／又は後部内側に宛がわれるメッシュ生地からなる布片を介してパンツ本体の前部及び／又は後部に縫着することができる。
【考案の効果】
【００１２】
本考案の男性用失禁パンツによれば、トランクス型のパンツ本体の内部に尿吸収パッドが股間と接触可能に吊り下げ状態で前後に架設されるので、外見は普通のトランクスパンツと同じで見た目にも着脱の際にも失禁パンツであることが他人に気づかれる心配がなく、しかもトランクス型のパンツ本体によってトランクスの開放感を得ることができる。
また、尿吸収パッドは、パンツ本体の内部に股間と接触可能に吊り下げ状態で前後に架設されるので、尿吸収パッドが男性器にフットし、しかも尿吸収パッドには、男性器を包み込むように保持可能なカップ形状部が形成されているので、運動時などにおいても、尿吸収パッドで男性器を圧迫することなく確実に保持することができ、男性器の位置を安定させて、フィット感を確実に保つことができる。
【００１３】
また、尿吸収パッドの前端側及び／又は後端側を、パンツ本体の前部内側及び／又は後部内側に宛がわれるメッシュ生地からなる布片を介してパンツ本体の前部及び／又は後部に縫着することにより、パンツ装着時に、パンツ本体と下腹部との間、及び／又はパンツ本体と腰部との間にメッシュ生地からなる布片が介在されることになり、長時間の使用でも下腹部及び／又は腰部が蒸れるのを防ぐことができる。
【図面の簡単な説明】
【００１４】
【図１】本考案の一実施形態に係る男性用失禁パンツの使用状態の正面図である。
【図２】同男性用失禁パンツにおけるパンツ本体を透かして尿吸収パッドを浮び上らせて表した斜視図である。
【図３】（ａ）は尿吸収パッドにおけるカップ形状部の縦断面図で、（ｂ）は（ａ）のＡ部拡大図で、尿吸収パッドの重層構造説明図である。
【考案を実施するための形態】
【００１５】
次に、本考案による男性用失禁パンツの具体的な実施の形態について、図面を参照しつつ説明する。
【００１６】
＜男性用失禁パンツの概略説明＞
図１及び図２に示されるように、本実施形態に係る男性用失禁パンツ１は、トランクス型のパンツ本体２を備え、このパンツ本体２の内部に尿吸収パッド３を配設して（図２参照）、失禁した尿を吸収する機能を有しながらも、見た目には普通のトランクスタイプの下着として使用することができるように構成されている。
【００１７】
＜パンツ本体の説明＞
図１に示されるように、パンツ本体２は、人の下腹部、臀部及び腰部を取り囲むように被覆する筒状の胴部４を備えている。
胴部４の上縁部の穿き口５には、ゴム紐６が挿入されており、パンツ本体２を装着した際にずり落ちないようにされている。
胴部４の正面の略中央には、放尿時に男性器を出し入れするための前開き部７がボタン８により開閉自在に設けられている。
胴部４の下部には、二股に分かれて人の左右の太腿上部を隙間を有した状態で被覆するように左右の裾部９が一体的に連設されている。
左右の裾部９の間には、人の股間に対応してそれら裾部９の間を繋ぐように股座部１０が介設されている。
【００１８】
パンツ本体２は、上記したように、従来のトランクス型パンツと同様の構造であって、ブリーフ型パンツなどと比べて体に密着することがないため、良好な開放感を有するものとされる。
パンツ本体２の素材としては、綿織物など通気性に優れ体を締め付けないものが好ましいが、ニット生地など伸縮性に富みフィット感に優れる生地を用いてもよい。
【００１９】
＜尿吸収パッドの構成説明＞
図２に示されるように、尿吸収パッド３は、パンツ本体２の内部において、股座部１０の上方で、男性器から肛門周辺までの股間と接触可能に吊り下げ状態で前後に架設されている。
尿吸収パッド３は、男性器の略上半分を覆うことができる第１パッド部３ａと、男性器の残り略下半分から肛門周辺までを覆うことができる第２パッド部３ｂとにより構成されている。
第１パッド部３ａにおいては、その一端が上位に、他端が下位に位置されて、一側から他端側に向けて末広がり形状とされている。
第２パッド部３ｂにおいては、第１パッド部３ａの他端に接合される一端及びその反対側の他端がいずれも上位に位置され、一端と他端との間の中間部が垂れ下がるように下位に位置され、中間部から一端側に向けて末広がり形状とされている。
【００２０】
図３（ａ）に示されるように、  尿吸収パッド３においては、第１パッド部３ａの他端部と、第２パッド部３ｂの一端部とを重ね合せ、この重ね合せ部１１を、重ね合せた状態で円弧状に縫着することにより、互いのパッド部３ａ，３ｂにおけるそれぞれの末広がり形状部１２，１３を結合させて、装着時に、尿吸収パッド３の前半部に、男性器を包み込むように保持可能となる立体的な収容部１４を有するカップ形状部１５が形成されるものとなる。
【００２１】
＜尿吸収パッドの取付構造の説明＞
図２に示されるように、パンツ本体２の内部において、尿吸収パッド３は、その前側及び後側にそれぞれ連設される前側布片２１及び後側布片２２を介してパンツ本体２に吊り下げ支持されている。
すなわち、前側布片２１は、略一定幅で上下方向に延びるメッシュ生地からなるもので、パンツ本体２の前部内側に宛がわれた状態で、その一端部がパンツ本体２の前部における穿き口５の内側に縫着され、該前側布片２１の他端部が、尿吸収パッド３における第１パッド部３ａの一端部と縫着されている。
また、後側布片２２は、一端から他端に向けて末広がり形状のメッシュ生地からなるもので、パンツ本体２の後部内側に宛がわれた状態で、その他端部がパンツ本体２の後部における穿き口５の内側に縫着され、該後側布片２２の一端部が、尿吸収パッド３における第２パッド部３ｂの他端部と縫着されている。
こうして、パンツ装着時に、パンツ本体２と下腹部との間にメッシュ生地からなる前側布片２１を介在させるとともに、パンツ本体２と腰部との間にメッシュ生地からなる後側布片２２を介在させるようにして、長時間の使用でも下腹部及び腰部が蒸れるのを防ぐようにしている。
【００２２】
＜尿吸収パッドの重層構造の説明＞
図３（ｂ）に示されるように、尿吸収パッド３は、ドライ層２５と、吸収・消臭層２６と、防水層２７の３層を備える構造とされている。
ドライ層２５は、例えば、ポリエステル製繊維生地からなり、その内側表面をミクロパイル仕上して、吸水・速乾性に優れるとともに、男性器に対して優しい肌触りを実現するようにしている。
吸収・消臭層２６は、吸水・吸湿・保水性機能に加え、アンモニア吸着機能を有する不織布が好適に用いられ、例えば、レーヨン、ポリエステル、吸水・吸湿性繊維（例えば、帝人社製「ベルオアシス」（登録商標））などの繊維素材（機能性繊維素材を含む。）を適宜に組み合わせることによって、吸水・吸湿・保水性に優れ、アンモニアに対する消臭性能を高め、臭いの発生・拡散を防ぐようにしている。
防水層２７は、屈曲性があり、不透水性のシート又はフィルムで、例えば、ポリウレタン製フィルム（又はシート）が用いられ、吸収・消臭層２６で吸収した尿を外部に漏らさないようにして、パンツ本体２の身生地への浸透を防ぐようにしている。
【００２３】
＜作用効果の説明＞
以上に述べたように構成される男性用失禁パンツ１は、図１に示されるように、通常のトランクスパンツと同様に、胴部４の穿き口５から各裾部９の中を片足ずつ通し、図３（ａ）において縦断面図で示される尿吸収パッド３のカップ形状部１５の収容部１４内に男性器を納めるようにして、パンツ本体２を腰のくびれ部分まで引き上げることにより、装着することができる。
【００２４】
本実施形態の男性用失禁パンツ１によれば、図２に示されるように、トランクス型のパンツ本体２の内部に尿吸収パッド３が股間と接触可能に吊り下げ状態で前後に架設されるので、図１に示されるように外見は普通のトランクスパンツと同じで見た目にも着脱の際にも失禁パンツであることが他人に気づかれる心配がなく、しかもトランクス型のパンツ本体２によってトランクスの開放感を得ることができる。
また、尿吸収パッド３は、図２に示されるように、パンツ本体２の内部に股間と接触可能に吊り下げ状態で前後に架設されるので、尿吸収パッド３が男性器にフットし、しかも尿吸収パッド３には、男性器を包み込むように保持可能な図３（ａ）に示されるような収容部１４を有するカップ形状部１５が形成されているので、運動時などにおいても、尿吸収パッド３で男性器を圧迫することなく確実に保持することができ、男性器の位置を安定させて、フィット感を確実に保つことができる。
【００２５】
以上、本考案の男性用失禁パンツについて、一実施形態に基づいて説明したが、本考案は上記実施形態に記載した構成に限定されるものではなく、その趣旨を逸脱しない範囲において適宜その構成を変更することができるものである。
【００２６】
例えば、上記の実施形態においては、尿吸収パッド３の前端側及び後端側の両方を、それぞれパンツ本体２の前部内側及び後部内側に宛がわれるメッシュ生地からなる前側布片２１及び後側布片２２を介してパンツ本体２の前部及び後部に縫着するようにした態様例を示したが、尿吸収パッド３の前端側又は後端側のいずれかのみを、パンツ本体２の前部内側又は後部内側に宛がわれるメッシュ生地からなる前側布片２１又は後側布片２２を介してパンツ本体２の前部又は後部に縫着するようにする態様例もあり得る。
【産業上の利用可能性】
【００２７】
本考案の男性用失禁パンツは、見た目にも着脱の際にも失禁パンツであることが他人に気づかれず、トランクスの開放感を得ることができるとともに、運動時などにおいてもフィット感を確実に保つことができるという特性を有していることから、ビジネスマンやスポーツマン、外出の多い活動的な人の失禁対策の用途に好適に用いることができる。
【符号の説明】
【００２８】
１    男性用失禁パンツ
２    パンツ本体
３    尿吸収パッド
３ａ  第１パッド部
３ｂ  第２パッド部
１４  収容部
１５  カップ形状部
２１  前側布片
２２  後側布片
２５  ドライ層
２６  吸収・消臭層
２７  防水層
【図１】
0003189602.tif 000003
【図２】
0003189602.tif 000004
【図３】
0003189602.tif 000005